(57)【要約】【課題】電源としての電池が消耗するなどして液晶セルへ電力の供給ができなくなった場合でも、パソコン等の読み取り装置を用いることなく、液晶セルが表示していた直前のデータを液晶セルで読み取ることができる電子式表示部を有する計量装置を提供することにある。【解決手段】流体や電力の消費量を計量する電子式表示部を有する計量装置おいて、計量装置本体としての水道メータ１に設けられた電源９と、水道メータ１に設けられ前記電源９からの電力によって消費量を積算表示するメモリ特性を持つ液晶セルからなる電子式表示部としての液晶表示部５とを具備し、液晶表示部５にメモリ特性を持つコレステリック液晶１０で構成したことを特徴とする。【選択図】図１
2006258552.tif 000002
【特許請求の範囲】
【請求項１】
流体や電力の消費量を計量する電子式表示部を有する計量装置において、
計量装置本体に設けられた電源と、
前記計量装置本体に設けられ前記電源からの電力によって消費量を積算表示するメモリ特性を持つ液晶セルからなる電子式表示部と、
を具備したことを特徴とする計量装置。
【請求項２】
流体や電力の消費量を計量する計量装置からの信号を受けて消費量を表示する電子式表示装置において、
表示装置本体に設けられた電源と、
前記表示装置本体に設けられ前記電源からの電力によって計量装置からの信号を受けて消費量を表示するメモリ特性を持つ液晶セルと、
を具備したことを特徴とする電子式表示装置。
【請求項３】
流体や電力の消費量を計量する電子式表示部を有する計量装置において、
計量装置本体に設けられた電源と、
前記計量装置本体に設けられ前記電源からの電力によって消費量を積算表示する液晶主表示部と、
前記計量装置本体に設けられ前記電源からの電力によって消費量を積算表示する液晶補助表示部とからなり、
前記液晶補助表示部にメモリ特性を持つ液晶セルで構成したことを特徴とする計量装置。
【請求項４】
流体や電力の消費量を計量する計量装置からの信号を受けて消費量を表示する電子式表示装置において、
表示装置本体に設けられた電源と、
前記表示装置本体に設けられ前記電源からの電力によって計量装置からの信号を受けて消費量を表示する液晶主表示部と、
前記表示装置本体に設けられた前記電源からの電力によって計量装置からの信号を受けて消費量を表示する液晶補助表示部とからなり、
前記液晶補助表示部にメモリ特性を持つ液晶セルで構成したことを特徴とする電子式表示装置。
【請求項５】
前記液晶セルは、コレステリック液晶であることを特徴とする請求項１または３に記載の計量装置。
【請求項６】
前記液晶セルは、コレステリック液晶であることを特徴とする請求項２または４に記載の電子式表示装置。
【請求項７】
前記液晶主表示部及び液晶補助表示部は、同一の表示盤に併設されていることを特徴とする請求項３に記載の計量装置。
【請求項８】
前記液晶主表示部及び液晶補助表示部は、同一の表示盤に併設されていることを特徴とする請求項４に記載の電子式表示装置。
【発明の詳細な説明】
【技術分野】
【０００１】
この発明は、例えば、水道メータ、ガスメータ、電力メータ等の消費量を計量する計量装置及び電子式表示装置に関する。
【背景技術】
【０００２】
一般家庭等に据え付けられる水道メータ、ガスメータ、電力メータ等は、流体や電力の消費量を積算表示する積算表示装置が設けられている。この積算表示装置は、計量機器本体あるいは計量機器本体とは別の遠隔地に設けられた表示装置本体に設けられ、文字車式カウンタあるいは液晶表示カウンタによって表示するようになっている。
【０００３】
ところで、最近では液晶表示機器が廉価に提供できること、信頼性が高いことから水道メータ、ガスメータ、電力メータ等の計量機器本体に採用されている。この計量機器本体にはリチウム電池が電源として用いられるとともにマイクロコンピュータが内蔵され、積算値を液晶セルに表示している。また、水道メータ、ガスメータ、電力メータ等の計量機器とは別に遠隔地に表示装置を設置し、計量機器からの信号によって表示装置の液晶セルに積算値を表示している。
【発明の開示】
【発明が解決しようとする課題】
【０００４】
ところが、積算値を液晶セルに表示する電子式積算表示装置は、電源としての電池が消耗するなどして液晶セルへ電力の供給ができなくなった場合、液晶セルは即座に表示が消えてしまい、それまでのデータを読み取ることができなくなるという問題がある。
【０００５】
このような場合、前記データを不揮発性記憶装置に記憶させ、パソコン等の読み取り装置を用いて読み取ることも可能であるが、その場で読み取ることは困難である。
【０００６】
また、記憶装置や液晶セル自体に異常が発生した場合、データを読み取ることができず、流体や電力の消費量の積算値を知ることができない。
【０００７】
この発明は、前記事情に着目してなされたもので、その目的とするところは、水道メータ、ガスメータ、電力メータ等の計量機器において、電源としての電池が消耗するなどして液晶セルへ電力の供給ができなくなった場合でも、パソコン等の読み取り装置を用いることなく、液晶セルが表示していた直前のデータを液晶セルで読み取ることができる計量装置及び電子式表示装置を提供することにある。
【課題を解決するための手段】
【０００８】
この発明は、前記目的を達成するために、請求項１は、流体や電力の消費量を計量する電子式表示部を有する計量装置において、計量装置本体に設けられた電源と、前記計量装置本体に設けられ前記電源からの電力によって消費量を積算表示するメモリ特性を持つ液晶セルからなる電子式表示部とを具備したことを特徴とする。
【０００９】
請求項２は、流体や電力の消費量を計量する計量装置からの信号を受けて消費量を表示する電子式表示装置において、表示装置本体に設けられた電源と、前記表示装置本体に設けられ前記電源からの電力によって計量装置からの信号を受けて消費量を表示するメモリ特性を持つ液晶セルとを具備したことを特徴とする。
【００１０】
請求項３は、流体や電力の消費量を計量する電子式表示部を有する計量装置において、計量装置本体に設けられた電源と、前記計量装置本体に設けられ前記電源からの電力によって消費量を積算表示する液晶主表示部と、前記計量装置本体に設けられ前記電源からの電力によって消費量を積算表示する液晶補助表示部とからなり、前記液晶補助表示部にメモリ特性を持つ液晶セルで構成したことを特徴とする。
【００１１】
請求項４は、流体や電力の消費量を計量する計量装置からの信号を受けて消費量を表示する電子式表示装置において、表示装置本体に設けられた電源と、前記表示装置本体に設けられ前記電源からの電力によって計量装置からの信号を受けて消費量を表示する液晶主表示部と、前記表示装置本体に設けられた前記電源からの電力によって計量装置からの信号を受けて消費量を表示する液晶補助表示部とからなり、前記液晶補助表示部にメモリ特性を持つ液晶セルで構成したことを特徴とする。
【００１２】
請求項５は、請求項１または３に記載の前記液晶セルは、コレステリック液晶であることを特徴とする。
【００１３】
請求項６は、請求項２または４に記載の前記液晶セルは、コレステリック液晶であることを特徴とする。
【００１４】
請求項７は、請求項３に記載の前記液晶主表示部及び液晶補助表示部は、同一の表示盤に併設されていることを特徴とする。
【００１５】
請求項８は、請求項４に記載の前記液晶主表示部及び液晶補助表示部は、同一の表示盤に併設されていることを特徴とする。
【発明の効果】
【００１６】
この発明によれば、電源としての電池が消耗するなどして液晶セルへ電力の供給ができなくなった場合でも、メモリ特性を持つ液晶セルが直前のデータを表示しているため、そのデータを読み取ることで流体や電力の消費量を知ることができる。従って、検針業務など現場確認への影響がなく、また機械式表示部や記憶装置を必要としないので安価に提供できるという効果がある。
【発明を実施するための最良の形態】
【００１７】
以下、この発明の実施の形態を図面に基づいて説明する。
【００１８】
図１は第１の実施形態を示し、計量装置としての水道メータ１の電子式表示装置２を示す。水道メータ１の本体３の上面には表示盤４が設けられている。この表示盤４には電子式表示部としての液晶表示部５が設けられている。液晶表示部５は、水道の消費量をリアルタイムに積算表示する液晶セル６が配置されている。そして、液晶セル６はメモリ特性を持ったコレステリック液晶１０等であり、本体３に搭載されたリチウム電池等の電源９からの電力供給によって表示するようになっている。
【００１９】
すなわち、液晶セル６は、水道の消費量をリアルタイムに積算表示する液晶セルが設けられているが、電源９からの電力の供給が断たれても、直前の水道の消費量の積算値を表示するメモリ特性を持っている。
【００２０】
このコレステリック液晶１０は、ネマティック液晶とは異なり、分子配列にらせん構造が加わった複雑な分子配列構造で、十分に大きな電圧を加えると、フォーカルコニック組織のらせん構造が解けて液晶分子が電界方向に揃い、透明なホメオトロピック配列のネマティック液晶状態となる。一方、加えた電圧を取り去ると、再びコレステリック液晶状態の白濁したフォーカルコニック組織に戻るが、ガラス基板の配向処理法によって透明度の高いプレーナ組織に移り、メモリ特性を持つ。これらの現象はコレステリック・ネマティック相転移効果と呼ばれ、電源９からの電力の供給が断たれても、直前の水道の消費量の積算値を表示することができる。
【００２１】
水道メータ１は、電源９としてのリチウム電池が用いられているため、電池が消耗したり、液晶を搭載した基板自体の異常によって液晶セル６へ電力の供給ができなくなることが想定される。このような場合でも液晶セル６はコレステリック液晶１０であるため、電源９からの電力の供給が断たれても、直前の水道の消費量の積算値を表示しており、そのデータを読み取ることで直前の水道消費量の積算値を知ることができる。
【００２２】
図２は第２の実施形態を示し、計量装置としての水道メータ１の電子式表示装置２を示す。水道メータ１の本体３の上面には表示盤４が設けられている。この表示盤４には液晶主表示部５ａと液晶補助表示部５ｂとが併設されている。液晶主表示部５ａは、水道の消費量をリアルタイムに積算表示する液晶セル１１が配置されている。液晶セル１１はネマティック液晶等であり、本体３に搭載されたリチウム電池等の電源９からの電力供給によって表示するようになっている。
【００２３】
また、液晶補助表示部５ｂは液晶主表示部５ａと同様に、水道の消費量をリアルタイムに積算表示する液晶セルが設けられているが、第１の実施形態と同様に、電源９からの電力の供給が断たれても、直前の水道の消費量の積算値を表示するメモリ特性を持ったコレステリック液晶１０が用いられている。すなわち、電源９からの電力の供給が断たれても、直前の水道の消費量の積算値を知ることができる。
【００２４】
なお、前記実施形態においては、計量装置として水道メータの電子式表示装置について説明したが、この発明は、ガスメータ、電力メータ等の計量装置の電子式表示装置についても適用できる。
【００２５】
また、前記実施形態においては、計量装置と一体的の電子式表示装置について説明したが、この発明は、水道メータ、ガスメータ、電力メータ等の計量装置とは別に遠隔地に設置された表示装置本体の表示盤に、計量装置からの信号を受けて消費量を表示するメモリ特性を持つ液晶セルを設けたものでもよい。また、計量装置とは別に遠隔地に設置された表示装置本体の表示盤に、計量装置からの信号を受けて消費量を表示する液晶主表示部と液晶補助表示部とを併設し、液晶補助表示部にメモリ特性を持つ液晶セルを設けたものでもよい。
【００２６】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００２７】
【図１】この発明の第１の実施形態を示し、水道メータの電子式表示装置の平面図。
【図２】この発明の第２の実施形態を示し、水道メータの電子式表示装置の平面図。
【符号の説明】
【００２８】
１…水道メータ、３…本体、５…液晶表示部、６…液晶セル、９…電源、１０…コレステリック液晶
【図１】
2006258552.tif 000003
【図２】
2006258552.tif 000004